(57)【要約】【課題】洗浄力が高く、移染防止効果にも優れた洗浄剤組成物および洗浄方法を提供する。【解決手段】本発明は、ビニルピリジン部を有する単量体に由来した構成単位を含む高分子化合物（Ａ）と、アルカノールアミン（Ｂ）とを含有する洗浄剤組成物において、非イオン界面活性剤（Ｃ）と非石鹸系アニオン界面活性剤（Ｄ）との合計の含有量が５〜３０質量％であり、かつ混合割合の（Ｄ）／（Ｃ）が質量比で０．８以下であることを特徴とする洗浄剤組成物である。【選択図】なし【特許請求の範囲】
【請求項１】
ビニルピリジン部を有する単量体に由来した構成単位を含む高分子化合物（Ａ）と、アルカノールアミン（Ｂ）とを含有する洗浄剤組成物において、
非イオン界面活性剤（Ｃ）と非石鹸系アニオン界面活性剤（Ｄ）との合計の含有量が５〜３０質量％であり、かつ混合割合の（Ｄ）／（Ｃ）が質量比で０．８以下であることを特徴とする洗浄剤組成物。
【請求項２】
２０００ｐｐｍの水溶液のｐＨが８〜１３である請求項１記載の洗浄剤組成物。
【請求項３】
請求項１または２に記載の洗浄剤組成物を水に溶解し、洗浄剤組成物の水溶液を予め調製し、該水溶液を洗浄に用いることを特徴とする洗浄方法。
【発明の詳細な説明】
【技術分野】
【０００１】
本発明は、洗浄剤組成物および洗浄方法に関する。
【背景技術】
【０００２】
たとえば衣料の洗濯においては、色物衣料から他の衣料へ色移り（移染）が生じる問題がある。
かかる移染の問題は、家庭用の洗濯においては近年のドラム式洗濯機の普及に伴い、また、ドラム式洗濯機や連続式洗濯機が一般に用いられている業務用の洗濯においてもますます顕在化し、大きな問題となっている。
【０００３】
従来、前記移染を抑制する洗浄剤組成物としては、たとえば特定の構成単位を含んだポリアミンＮ−オキシド含有ポリマーと、ビルダーを含んだ染料移動阻止組成物が提案されている（特許文献１参照）。
また、ポリアミンＮ−オキシド重合体等の染料移動抑制剤と、オレオイルサルコシネートを含む染料移動抑制組成物が提案されている（特許文献２参照）。
また、ポリビニルピロリドン、Ｎ−ビニルピロリドンとＮ−ビニルイミダゾールとの共重合体等の移染防止剤と、Ｒ１−Ｏ−（ＣＨ２ＣＨ２Ｏ）ｍ−ＣＨ２−ＣＨ（ＯＨ）−ＣＨ２−Ｏ−Ｒ２［Ｒ１は炭素数８〜２０のアルキル基またはアルケニル基であり、Ｒ２は炭素鎖長１〜５のアルキル基であり、ｍはエチレンオキシドの平均付加モル数を示し、３〜１２の数である。］および／または特定のポリオキシエチレンポリオキシプロピレンアルキルエーテルとを含有する洗浄剤組成物が提案されている（特許文献３参照）。
【特許文献１】特表平８−５１２３３２号公報
【特許文献２】特表平１０−５０１２７８号公報
【特許文献３】特開２００６−８９５１号公報
【発明の開示】
【発明が解決しようとする課題】
【０００４】
ところで、ドラム式洗濯機は、渦巻き式の洗濯機などを使用する場合に比べて水の使用量が少なく、浴比（被洗物と洗濯液との質量比）が小さくなる。ドラム式洗濯機の場合、被洗物に対する洗濯液の割合の「洗濯液／被洗物」は、たとえば５〜６となる。
かかる低浴比化により、色物衣料から脱離した染料の洗濯液中の染料濃度が増加し、あるいは衣料などの布同士の擦れが増大すると推測される。そのため、ドラム式洗濯機の普及に伴い、移染の問題が顕在化してきていると考えられる。
ここで、「洗濯液」とは、洗濯機に注がれた大量の水と、洗浄剤組成物または洗浄剤組成物の水溶液とが混合された溶液を意味する。
【０００５】
特許文献１、２に記載の洗浄剤組成物は、渦巻き式の洗濯機などを使用した場合の高浴比（「洗濯液／被洗物」は、たとえば３０である。）の環境下では移染防止効果が高いものの、ドラム式洗濯機を使用した場合の低浴比の環境下では移染防止効果は充分ではない。
また、特許文献３に記載の洗浄剤組成物は、洗浄力と移染防止効果との両立の点においては未だ充分なものではない。
【０００６】
本発明は、上記事情に鑑みてなされたものであり、洗浄力が高く、移染防止効果にも優れた洗浄剤組成物および洗浄方法を提供することを課題とする。
【課題を解決するための手段】
【０００７】
本発明者らは鋭意検討した結果、上記課題を解決するために、以下の手段を提供する。
すなわち、本発明の洗浄剤組成物は、ビニルピリジン部を有する単量体に由来した構成単位を含む高分子化合物（Ａ）と、アルカノールアミン（Ｂ）とを含有する洗浄剤組成物において、非イオン界面活性剤（Ｃ）と非石鹸系アニオン界面活性剤（Ｄ）との合計の含有量が５〜３０質量％であり、かつ混合割合の（Ｄ）／（Ｃ）が質量比で０．８以下であることを特徴とする。
また、本発明の洗浄剤組成物においては、２０００ｐｐｍの水溶液のｐＨが８〜１３であることが好ましい。
【０００８】
また、本発明の洗浄方法は、前記本発明の洗浄剤組成物を水に溶解し、洗浄剤組成物の水溶液を予め調製し、該水溶液を洗浄に用いることを特徴とする。
【発明の効果】
【０００９】
本発明によれば、洗浄力が高く、移染防止効果にも優れた洗浄剤組成物および洗浄方法を提供することができる。
【発明を実施するための最良の形態】
【００１０】
≪洗浄剤組成物≫
本発明の洗浄剤組成物は、ビニルピリジン部を有する単量体に由来した構成単位を含む高分子化合物（Ａ）（以下、（Ａ）成分ということがある。）と、アルカノールアミン（Ｂ）（以下、（Ｂ）成分ということがある。）とを含有する洗浄剤組成物において、非イオン界面活性剤（Ｃ）（以下、（Ｃ）成分ということがある。）と非石鹸系アニオン界面活性剤（Ｄ）（以下、（Ｄ）成分ということがある。）との合計の含有量および混合割合が特定されたものである。
【００１１】
＜（Ａ）成分＞
本発明において、（Ａ）成分は、ビニルピリジン部を有する単量体に由来した構成単位を含む高分子化合物である。該（Ａ）成分を含有することにより、移染防止効果が得られる。
【００１２】
ここで、「ビニルピリジン部」とは、下記一般式（Ｉ）で表される構造を示す。
【００１３】
【化１】
2008001770.tif 000002
【００１４】
「ビニルピリジン部を有する単量体に由来した構成単位」とは、ビニルピリジン部を有する単量体のエチレン性二重結合が開裂して構成される構成単位（以下、構成単位（ＶＰ）ということがある。）を意味する。
ビニルピリジン部を有する単量体としては、たとえばビニルピリジンまたはその誘導体が挙げられる。なかでも、好適な単量体としては、下記一般式（ＩＩ）で表される単量体（ビニルピリジンＮ−オキシド）が例示できる。
【００１５】
【化２】
2008001770.tif 000003
［式中、Ｒは水素原子または炭素数１〜２のアルキル基を示し；ＤはＯ−、ＯＨまたはＣＨ２ＣＯＯＭ（Ｍは水素原子、アルカリ金属原子またはアルカリ土類金属原子）を示す。］
【００１６】
前記一般式（Ｉ）中、Ｒは、水素原子または炭素数１〜２のアルキル基を示し、水素原子であることが好ましい。
Ｄは、Ｏ−、ＯＨまたはＣＨ２ＣＯＯＭ（Ｍは、水素原子、アルカリ金属原子またはアルカリ土類金属原子）を示す。なかでも、移染防止効果が良好なことから、Ｏ−であることが好ましい。
前記一般式（Ｉ）で表される単量体（ビニルピリジンＮ−オキシド）のなかでも、４−ビニルピリジン−Ｎ−オキシドが特に好ましい。
【００１７】
構成単位（ＶＰ）は、１種または２種以上混合して用いることができる。
構成単位（ＶＰ）の含有量は、（Ａ）成分を構成する全構成単位に対して５０モル％以上であることが好ましく、８０モル％以上であることがより好ましく、１００モル％であってもよい。最も好ましくは１００モル％である。該範囲の下限値以上であることにより、移染防止効果がより向上する。
なお、（Ａ）成分は、必要に応じて、前記構成単位（ＶＰ）以外の構成単位を有していてもよい。
【００１８】
本発明において、（Ａ）成分は、構成単位（ＶＰ）を有する高分子化合物（重合体）であり、なかでも水溶性の高分子化合物（重合体）が好ましい。
かかる重合体としては、移染防止効果がより向上することから、構成単位（ＶＰ）からなる重合体がより好ましく、ビニルピリジンＮ−オキシドからなる高分子化合物（単重合体）がさらに好ましく、ポリ（４−ビニルピリジン−Ｎ−オキシド）が特に好ましい。
ポリ（４−ビニルピリジン−Ｎ−オキシド）として好適に用いられる市販品としては、クロマボンドＳ−４００（商品名、ＩＮＴＥＲＮＡＴＩＯＮＡＬ  ＳＰＥＣＩＡＬＩＴＹ  ＰＲＯＤＵＣＴＳ  ＩＮＣ．製）、クロマボンドＳ−４０３(商品名、ＩＮＴＥＲＮＡＴＩＯＮＡＬ  ＳＰＥＣＩＡＬＩＴＹ  ＰＲＯＤＵＣＴＳ  ＩＮＣ．製）等が挙げられる。
【００１９】
（Ａ）成分は、各構成単位を提供する単量体同士を、公知の重合方法により重合させることによって得ることができる。
（Ａ）成分の重量平均分子量は、１０００〜１０００００であることが好ましく、９０００〜７００００であることがより好ましく、１５０００〜５００００であることがさらに好ましい。該範囲であることにより、良好な移染防止効果が得られやすくなる。
なお、本発明（実施例等を含む。）において「重量平均分子量」とは、Ｈ．Ｇ．バースおよびＪ．Ｗ．メイズ，Ｃｈｅｍｉｃａｌ Ａｎａｌｙｓｉｓ，第１１３巻，『重合体特性化の現代的方法』に記載の光散乱法によって測定される値を示す。
【００２０】
本発明において、（Ａ）成分は、１種または２種以上混合して用いることができる。
（Ａ）成分の含有量は、本発明の洗浄剤組成物中、０．０１〜２０質量％であることが好ましく、０．１〜１０質量％であることがより好ましい。該範囲の下限値以上であることにより移染防止効果が向上する。一方、上限値以下であることにより、他の成分とのバランスをとることができる。また、移染防止効果が充分に得られ、経済的にも有利となる。
【００２１】
＜（Ｂ）成分＞
本発明において、（Ｂ）成分は、アルカノールアミンである。該（Ｂ）成分を含有することにより、洗浄力が向上する。また、（Ａ）成分との併用により、移染防止効果が向上し、特にドラム式洗濯機を使用した場合の低浴比の環境下において移染防止効果がより向上する。
また、たとえば本発明の洗浄剤組成物の水溶液（好ましくは、洗浄剤組成物の１〜２０質量％水溶液）の保存安定性（着色、析出等の抑制効果）が向上する。これにより、洗浄剤組成物の水溶液を予め調製しておき、該水溶液を洗浄に用いる洗浄方法を行うことができる。
また、（Ｂ）成分を含有することにより、洗浄剤組成物（洗濯液）のｐＨを調整することができる。また、任意成分として酸型の界面活性剤またはキレート剤などを用いる場合、それらの成分を中和することもできる。
【００２２】
アルカノールアミンとしては、モノエタノールアミン、ジエタノールアミン、トリエタノールアミン、モノイソプロパノールアミン、ジイソプロパノールアミン、トリイソプロパノールアミン等が挙げられ、モノエタノールアミン、ジエタノールアミン、トリエタノールアミンが好ましく、モノエタノールアミン、ジエタノールアミンがより好ましい。
本発明において、（Ｂ）成分は、１種または２種以上混合して用いることができる。
（Ｂ）成分の含有量は、本発明の洗浄剤組成物中、０．１〜３０質量％であることが好ましく、０．５〜２０質量％であることがより好ましい。該範囲の下限値以上であることにより、洗浄力および移染防止効果が向上する。一方、上限値以下であることにより、他の成分とのバランスをとることができる。また、衣料等の繊維の損傷が抑制される。
また、（Ｂ）成分の含有量が該範囲であることにより、洗濯液のｐＨ（好ましくは、ｐＨ８〜１３の範囲）を容易に調整することができる。また、上記のように、中和剤としての効果も容易に得られる。
【００２３】
＜（Ｃ）成分＞
本発明において、（Ｃ）成分は、非イオン界面活性剤である。該（Ｃ）成分を含有することにより、洗浄力が向上する。また、（Ｄ）成分との合計の含有量および混合割合を特定することにより、洗浄力と移染防止効果がより向上する。かかる理由としては、洗浄剤組成物が低泡性を有するためと考えられる。
【００２４】
ノニオン性界面活性剤としては、アルコールアルコキシレート、脂肪酸アルカノールアミド、アルキルポリグルコシド等が挙げられる。なかでも、アルコールアルコキシレートが好ましく、アルコールエトキシプロポキシレートがより好ましい。
本発明において、（Ｃ）成分は、１種または２種以上混合して用いることができる。
【００２５】
＜（Ｄ）成分＞
本発明において、（Ｄ）成分は、非石鹸系アニオン界面活性剤である。該（Ｄ）成分を含有することにより、洗浄力が向上する。また、前記（Ｃ）成分との合計の含有量および混合割合を特定することにより、洗浄力と移染防止効果がより向上する。
アニオン性界面活性剤としては、直鎖もしくは分岐鎖状のアルキルベンゼンスルホン酸塩、オレフィンスルホン酸塩、アルキル硫酸塩、ポリオキシエチレンアルキル硫酸塩、α−スルホ脂肪酸エステル塩、２級アルカンスルホン酸塩等が挙げられる。なかでも、直鎖状のアルキルベンゼンスルホン酸塩、アルキル硫酸塩が好ましい。
塩としては、ナトリウム塩、カリウム塩等のアルカリ金属塩；マグネシウム塩等のアルカリ土類金属塩；モノエタノールアミン、ジエタノールアミン、トリエタノールアミン等のアルカノールアミン塩等が挙げられ、アルカリ金属塩が好ましく、ナトリウム塩がより好ましい。
なお、（Ｄ）成分は、洗浄剤組成物を製造する際、上記で例示のアニオン性界面活性剤の酸前駆体（たとえば、直鎖もしくは分岐鎖状のアルキルベンゼンスルホン酸、オレフィンスルホン酸など）を用い、該酸前駆体を、水酸化カリウム、水酸化ナトリウム、炭酸カリウムまたは炭酸ナトリウム等により中和して得られるものであってもよい。
本発明において、（Ｄ）成分は、１種または２種以上混合して用いることができる。
また、本発明において、（Ｄ）成分は、洗浄剤組成物中に含有されていなくてもよい。
【００２６】
本発明において、（Ｃ）成分と（Ｄ）成分との合計の含有量は、洗浄剤組成物中、５〜３０質量％であり、５〜２１質量％であることが好ましい。該含有量が５質量％以上であることにより、優れた洗浄力が得られる。一方、３０質量％以下であることにより、過剰な泡立ちが抑制されて洗浄力の低下が避けられる。また、移染防止効果も向上する。
また、（Ｃ）成分と（Ｄ）成分との混合割合の（Ｄ）／（Ｃ）は、質量比で０．８以下であり、０．３以下であることが好ましく、該質量比が０（すなわち、（Ｄ）成分が含有されない。）であってもよい。該上限値以下であることにより、泡立ちが抑制されて洗浄力の低下が避けられる。また、移染防止効果も向上する。
【００２７】
・任意成分
本発明の洗浄剤組成物には、前記（Ａ）〜（Ｄ）成分以外に必要に応じて、たとえば通常、衣料用洗浄剤組成物に用いられる洗剤成分等の任意成分を適宜、配合することができる。
具体的には、たとえば前記（Ｃ）成分と前記（Ｄ）成分以外の界面活性剤、再汚染防止剤、酵素、無機塩、金属イオン封鎖剤および分散剤、消泡剤、蛍光増白剤、ハイドロトロープ剤、漂白成分、漂白活性化成分、ｐＨ調整剤（ただし、前記（Ｂ）成分を除く。）等が挙げられる。
【００２８】
界面活性剤としては、通常、洗浄剤組成物に用いられる界面活性剤（石鹸、カチオン界面活性剤、両性界面活性剤など）が併用できる。
カチオン界面活性剤としては、モノアルキル型第４級アンモニウム塩、ジアルキル型第４級アンモニウム塩等の各種第４級アンモニウム塩等が挙げられる。
両性界面活性剤としては、カルボキシベタイン、スルホベタイン、ヒドロキシスルホベタイン、ホスホベタイン等が挙げられる。
【００２９】
再汚染防止剤としては、たとえばポリエチレングリコール、カルボキシメチルセルロース（ＣＭＣ）、ポリアルキルテレフタレート・ポリオキシアルキルテレフタレート重合体またはその誘導体等が挙げられる。
酵素としては、たとえばプロテアーゼ、アミラーゼ、リパーゼ、セルラーゼ等が挙げられる。
無機塩としては、たとえば硫酸ナトリウム、層状珪酸ナトリウム、メタ珪酸ナトリウム、オルソ珪酸ナトリウム、炭酸ナトリウム、無水珪酸等が挙げられる。
【００３０】
金属イオン封鎖剤および分散剤としては、たとえばクエン酸；１−ヒドロキシエタン−１，１−ジホスホン酸、ニトリロトリメチレンホスホン酸、エチレンジアミンテトラキスメチレンホスホン酸、エチレンジアミン４酢酸、１，３−プロパン−２−ジアミン四酢酸、アスパラギン酸ジ酢酸、グルタミン酸ジ酢酸、β−アラニンジ酢酸、セリンジ酢酸、カルボキシメチルオキシコハク酸、カルボキシメトキシマロン酸、オキシジコハク酸、ヒドロキシオキシジコハク酸、イミノジコハク酸、ポリアスパラギン酸、ポリグリオキシル酸、ポリアクリル酸、高分子ポリカルボン酸またはそれらの塩などが挙げられる。
【００３１】
消泡剤としては、たとえばシリコーン等が挙げられる。
蛍光増白剤としては、ビス（スルホスチリル）ビフェニル塩、ビス（トリアジニルアミノスチルベン）ジスルホン酸誘導体などが挙げられる。
ハイドロトロープ剤としては、エタノール、イソプロパノール、フェニルポリオキシエチレンアルコール等の１価アルコール類；エチレングリコール、プロピレングリコール、ポリエチレングリコール、グリセリン等の多価アルコール類等を用いることができる。
【００３２】
漂白成分としては、たとえば過酸化水素、過硫酸ナトリウム、過炭酸ナトリウム、過ホウ酸ナトリウム等の過酸化物などが挙げられ、これらは単独で、または２種以上を組み合わせて用いることができる。
また、漂白活性化成分としては、たとえばテトラアセチルエチレンジアミン、アルカノイルオキシベンゼンカルボン酸塩、アルカノイルオキシベンゼンスルホン酸塩等の有機過酸前駆体などを併用することも可能である。
【００３３】
さらに、ｐＨ調整剤としては、塩酸、硫酸、リン酸等の無機酸；ｐ−トルエンスルホン酸、クエン酸、ホスホン酸誘導体等の有機酸；水酸化ナトリウム、水酸化カリウム、アンモニア等を用いることができる。
【００３４】
本発明の洗浄剤組成物の性状（外観）としては、特に制限はなく、たとえば粒状であってもよく、液体状であってもよい。
本発明の洗浄剤組成物の製造方法は、特に制限されるものではなく、常法に準じて製造することができる。
また、本発明の洗浄剤組成物においては、２０００ｐｐｍの水溶液のｐＨが８〜１３であることが好ましく、ｐＨが９〜１２であることがより好ましい。該ｐＨが８以上、好ましくは９以上であることにより、洗浄力と移染防止効果の両方の効果がいずれも向上する。一方、該ｐＨが１３以下、好ましくは１２以下であることにより、衣料等の繊維の損傷が抑制される。
ここで、「２０００ｐｐｍの水溶液」とは、洗浄剤組成物の濃度が２０００ｐｐｍの洗濯液に相当するものである。たとえば、ドラム式洗濯機を用い、中水位（洗濯槽中の水量５０Ｌ／水道水）の設定条件により洗浄する際の洗濯液が想定される。
上記ｐＨは、本発明の洗浄剤組成物を使用する際、該洗浄剤組成物の含有量を調節した水溶液を予め調製し、該水溶液を洗浄に用いることにより制御することができる。
【００３５】
本発明の洗浄剤組成物は、洗浄力が高く、移染防止効果にも優れた効果を発揮する。その理由は明らかではないが、次のように推測される。
本発明において用いられる（Ａ）成分は、移染防止効果を発揮する成分である。かかる（Ａ）成分は、渦巻き式の洗濯機などの高浴比の環境下では良好な移染防止効果を発揮するものの、ドラム式洗濯機の低浴比の環境下では、移染防止効果が発揮されにくくなる。これは、上述のように、洗濯液中の染料濃度が増加し、あるいは衣料などの布同士の擦れが増大するためと推測される。
これに対し、本発明においては、（Ａ）成分とともに（Ｂ）成分が含有される。かかる（Ｂ）成分を含有することにより、染料分子と繊維との間に働く斥力が大きくなると考えられる。
また、本発明においては、（Ｃ）成分と（Ｄ）成分との合計の含有量および混合割合が特定される。これにより、洗濯液中での染料分子の分散性が向上すると考えられる。したがって、染料分子は、繊維への吸着が減少し、洗濯液中に分散しやすくなっていると考えられる。
また、（Ｃ）成分と（Ｄ）成分との合計の含有量および混合割合が特定されることにより、本発明の洗浄剤組成物は、泡立ちが抑制されて低泡性を有する。
以上の理由により、本発明の洗浄剤組成物は、洗浄力が高く、移染防止効果にも優れた効果を発揮すると推測される。
【００３６】
≪洗浄方法≫  
本発明の洗浄方法は、前記本発明の洗浄剤組成物を水に溶解し、洗浄剤組成物の水溶液を予め調製し、該水溶液を洗浄に用いる方法である。該洗浄方法により、適度な洗浄剤組成物の濃度（好ましくは、洗濯液のｐＨが８〜１３となる濃度）を有する洗濯液を容易に調製することができる。これにより、高い洗浄力と、優れた移染防止効果の両方の効果が容易に得られるようになる。
【００３７】
本発明の洗浄方法においては、前記水溶液中の洗浄剤組成物の濃度を、１〜２０質量％とすることが好ましく、５〜１０質量％とすることがより好ましい。該範囲の下限値以上とすることにより、所望とするｐＨの洗濯液が得られやすく、洗浄力と移染防止効果の両方の効果がいずれも向上する。一方、上限値以下とすることにより、洗浄剤組成物の水溶液の保存安定性が向上し、該水溶液の均一性が維持されやすくなる。
また、本発明の洗浄方法の好適な方法としては、一例として、上記のように調製された洗浄剤組成物の水溶液を、洗濯液中の洗浄剤組成物の濃度が所定の濃度（好ましくは５００〜３０００ｐｐｍであり、より好ましくは１０００〜２０００ｐｐｍ）となるように、水とともに洗濯機の槽内に投入し、洗濯を行う方法が挙げられる。
【００３８】
本発明によれば、洗浄力が高く、移染防止効果にも優れた洗浄剤組成物および洗浄方法を提供することができる。
本発明の洗浄剤組成物および洗浄方法は、特に衣料用に好適である。
また、本発明の洗浄剤組成物および洗浄方法は、低浴比の洗濯において特に効果を発揮し、たとえばリネンサプライ分野などの業務用や家庭用で使用されるドラム式洗濯機に好適に用いることができる。
本発明の洗浄剤組成物によれば、該洗浄剤組成物の水溶液を安定に保管しておくことができるため、一度に多量の調製が可能となる。また、洗濯の度に、洗浄剤組成物の水溶液を調製する必要がなく、ポンプによる自動投入などが可能になり、作業性に優れることから、特にリネンサプライ分野などの業務用に好適なものである。
【実施例】
【００３９】
以下に実施例を用いて本発明をさらに詳しく説明するが、本発明はこれら実施例に限定されるものではない。なお、「％」は特に断りがない限り「質量％」を示す。
【００４０】
（実施例１〜８、比較例１〜５）
表１、２に示す組成の洗浄剤組成物を、常法に準じて製造した。
なお、表中の配合量の単位は質量％であり、純分換算量を示す。また、総量が１００質量％となるように、水または硫酸ナトリウムの配合量を適宜調整することにより各組成物を得た。下記に、表中に示した成分について説明する。
【００４１】
≪表中に示した成分の説明≫。
・（Ａ）成分
ポリビニルピリジン−Ｎ−オキシド：商品名「クロマボンドＳ−４００」、ＩＳＰ社製、重量平均分子量２４０００〜３４０００。
・（Ｂ）成分
ジエタノールアミン：商品名「ジエタノールアミン８０」（（株）日本触媒製）。
モノエタノールアミン：商品名「モノエタノールアミン」（（株）日本触媒製）。
・（Ｃ）成分
非イオン界面活性剤（Ｉ）：アルコールアルコキシレート、炭素数１２〜１４の直鎖状のアルキル基、エチレンオキシド（ＥＯ）の平均付加モル数１５モル、プロピレンオキシド（ＰＯ）の平均付加モル数３モル。
非イオン界面活性剤（ＩＩ）：アルコールアルコキシレート、炭素数１２〜１４の直鎖状のアルキル基、ＥＯの平均付加モル数６モル、ＰＯの平均付加モル数２モル。
非イオン界面活性剤（ＩＩＩ）：アルコールアルコキシレート、炭素数１２〜１４の直鎖状のアルキル基、ＥＯの平均付加モル数１５モル。
・（Ｄ）成分
ＬＡＳ−Ｎａ：直鎖アルキル（炭素数１０〜１４）ベンゼンスルホン酸ナトリウム塩［直鎖アルキル（炭素数１０〜１４）ベンゼンスルホン酸（酸前駆体、商品名「ライポンＬＨ−２００」、ライオン（株）製；ＬＡＳ−Ｈ純分として９６質量％含有）］を、洗浄剤組成物の製造時に、４８質量％水酸化ナトリウム水溶液により中和して得られたもの。表中の配合量は、ＬＡＳ−Ｎａ純分としての質量％を示す。
ＡＳ−Ｎａ：炭素数１０〜１８のアルキル基を持つアルキル硫酸ナトリウム塩（商品名「サンデットＬＭＮ」、三洋化成工業（株）製）。
ＡＥＳ：炭素数１２〜１５のアルキル基を持つアルキルサルフェートエトキシレート。
・任意成分
エタノール：商品名「合成９５度未変性エタノール」（ＮＥＤＯ製）。
クエン酸：商品名「無水クエン酸」（磐田化学製、食品添加物グレード）。
炭酸ナトリウム：商品名「粒灰」、旭硝子（株）製。
硫酸ナトリウム：商品名「中性無水芒硝」、日本化学工業（株）製。
水：精製水。
【００４２】
≪評価≫
得られた各例の洗浄剤組成物について、以下に示す方法及び評価基準によって評価を行い、その結果を表１に併記した。
【００４３】
［洗浄力］
（洗浄処理方法）
評価用汚染布（商品名：ＥＭＰＡ１０１、ＥＭＰＡ社製；５ｃｍ×５ｃｍ／枚）１０枚を、綿製の白布１枚に縫い付け、全量が１０ｋｇとなるように、チャージ布（評価用汚染布を縫い付けていない一般家庭用シーツ２０枚）と合わせて、これを被洗物とした。
洗濯には、バッチワッシャー（製品名「ＥＣＯＮＯＭＡＴ−１０」、株式会社アサヒ製作所製）の実機を使用し、該バッチワッシャーで中水位（約５０Ｌ）に設定し、水には水道水（東京都）を用いた。
次いで、各例の洗浄剤組成物を水に溶解し、洗浄剤組成物の５質量％水溶液を予め調製し、該水溶液２Ｌを前記槽内に投入した後、前述の被洗物を投入し、浴比５倍、中水位（水量約５０Ｌの水道水）にて洗浄を行った。
その際、洗浄剤組成物の濃度は、洗濯液中、２０００ｐｐｍ（被洗物の質量に対して０．１質量％）にした。
なお、洗浄は、下記洗浄工程とすすぎ工程により行った。
洗浄工程：洗浄  温度５０℃・１０分間。
すすぎ工程：洗浄工程後→排水→高速遠心による脱水３分間→すすぎ（中水位）３０℃・５分間→排水→高速遠心による脱水３分間→すすぎ（中水位）３０℃・５分間→排水→高速遠心による脱水３分間。
洗浄後、被洗物から洗浄後の評価用汚染布を取り出して乾燥させ、以下の評価方法により洗浄力を評価した。
【００４４】
（洗浄力の評価方法）
前記洗浄処理を終えた評価用汚染布の反射率を、色差計（商品名：ＳＥ２０００型、日本電色（株）製）により測定し、洗浄率（％）を以下の式で算出し、下記評価基準に基づいて洗浄力を評価した。
なお、式中の「清浄布」とは、評価用汚染布（ＥＭＰＡ１０１）作製前の白布の状態のものを示し、洗浄率の計算には、反射率の値として８４を用いた。
洗浄率（％）＝［（洗浄後の評価用汚染布の反射率）−（洗浄前の評価用汚染布の反射率）］／［（清浄布の反射率）−（洗浄前の評価用汚染布の反射率）］×１００
＜評価基準＞
◎    ：洗浄率が１６％以上。
○    ：洗浄率が１３％以上１６％未満。
△    ：洗浄率が１０％以上１３％未満。
×：洗浄率が１０％未満。
評価基準は、上述の式により算出される洗浄率（％）が１０％以上（△〜◎）であれば、洗浄力が良好であると判定した。なお、洗浄率（％）は、評価用汚染布１０枚の平均値を用いた。
【００４５】
［移染防止効果］
（移染防止効果の評価方法）
移染防止効果の評価は、上記洗浄処理方法において、共存色素として「Ｓｕｍｉｆｉｘ  Ｓｕｐｒａ  Ｂｌｕｅ  ＢＲＲ」（商品名、住友化成製）を使用し、該共存色素を、洗濯液中、５０ｐｐｍとなるように、前記槽内にさらに添加した以外は、上記洗浄処理方法と同様の方法を用いた。
上記洗浄力の評価において、前記洗浄処理を終えた評価用汚染布を試料とし、Ｅ値（変色度合い）を、色差計（商品名：ＳＥ２０００型、日本電色（株）製）により測定し、△Ｅを以下の式で算出し、下記評価基準に基づいて移染防止効果を評価した。なお、△Ｅ値が小さいものほど、移染防止効果に優れることを表す。
△Ｅ=［（洗浄前のＬ値−洗浄後のＬ値）２＋（洗浄前のａ値−洗浄後のａ値）２＋（洗浄前のｂ値−洗浄後のｂ値）２］１／２
＜評価基準＞
◎    ：△Ｅが２以下。
○    ：△Ｅが２より大きく４以下。
△    ：△Ｅが４より大きく６以下。
×：△Ｅが６より大きい。
評価基準は、上述の式により算出される△Ｅが６以下（△〜◎）であれば、移染防止効果が良好であると判定した。なお、△Ｅは、評価用汚染布１０枚の平均値を用いた。
【００４６】
【表１】
2008001770.tif 000004
【００４７】
【表２】
2008001770.tif 000005
【００４８】
表１の結果から、本発明にかかる実施例１〜８は、洗浄力が高く、移染防止効果にも優れていることが確認できた。なかでも、実施例１、２、５は、洗浄力と移染防止効果の両方が特に優れていることが確認できた。
【００４９】
一方、（Ａ）成分を含有しない比較例１は、移染防止効果が悪いことが確認できた。
また、（Ｃ）＋（Ｄ）が５質量％未満の比較例５は、洗浄力が悪いことが確認できた。
また、（Ｂ）成分を含有しない比較例２は、洗浄力と移染防止効果がいずれも悪いことが確認できた。
また、（Ｄ）／（Ｃ）が０．８より大きい比較例３、４は、洗浄力と移染防止効果がいずれも悪いことが確認できた。